(57)【要約】複数のユニバーサルデジタルターミナルアダプタ（ＵＤＴＡ）を制御するための方法、ユーザインタフェース、およびシステムが提供される。これは、制御に利用可能なＵＤＴＡのリストを提供すること、およびそのＵＤＴＡのリスト内のＵＤＴＡのうちの１つまたは複数のためのコントロールを提供することを含む。次いでそのコントロールを介してコマンドを提供することができ、制御に利用可能なＵＤＴＡのうちの１つまたは複数を制御するのに実行することができる。
2013527950.tif 000002
【特許請求の範囲】
【請求項１】
複数のユニバーサルデジタルターミナルアダプタ（ＵＤＴＡ）を制御するための方法であって、
制御に利用可能なＵＤＴＡのリストを提供するステップと、
前記ＵＤＴＡのリスト内のＵＤＴＡのうちの１つまたは複数のためのコントロールを提供するステップと、
を含む、前記方法。
【請求項２】
前記ＵＤＴＡのリスト内の前記ＵＤＴＡのうちの１つまたは複数のための前記コントロールを介してコマンドを受信するステップと、
前記コマンドを実行するステップと、
をさらに含む、請求項１に記載の方法。
【請求項３】
前記制御に利用可能なＵＤＴＡのリストはユーザからのコマンドに応答して提供される、請求項１に記載の方法。
【請求項４】
前記ユーザからの前記コマンドは前記ユーザに提供されるプロンプトに応答して受信される、請求項３に記載の方法。
【請求項５】
前記制御に利用可能なＵＤＴＡの提供されるリストは、利用可能なＵＤＴＡの各々に関する追加情報をさらに含む、請求項１に記載の方法。
【請求項６】
前記ＵＤＴＡの各々に関する前記追加情報は、ユニット識別子、ＭＡＣアドレス、ユニットアドレス、および前記ＵＤＴＡが現在同調されているチャネルとのうちの１つまたは複数を備える、請求項５に記載の方法。
【請求項７】
制御に利用可能なＵＤＴＡに関する追加情報を提供するためのテキストボックスを提供するステップをさらに含む、請求項１に記載の方法。
【請求項８】
前記追加情報は、ユーザプロンプト、診断情報、およびデバッグ情報とのうちの１つまたは複数を備える、請求項７に記載の方法。
【請求項９】
前記提供されるテキストボックスはユーザからコマンドを受信するようにさらに構成される、請求項７に記載の方法。
【請求項１０】
前記ＵＤＴＡのリスト内の前記ＵＤＴＡのうちの１つまたは複数のための前記提供されるコントロールは、オン、オフ、リセット、詳細、チャネルアップ、チャネルダウン、および直接チャネル入力のうちの１つまたは複数を備える、請求項１に記載の方法。
【請求項１１】
前記ＵＤＴＡのリスト内の前記ＵＤＴＡのうちの１つまたは複数のための前記提供されるコントロールは、すべての前記利用可能なＵＤＴＡを制御するためのグローバルコマンドを備える、請求項１に記載の方法。
【請求項１２】
前記グローバルコマンドは、端末をクリア、リストに追加、リストをリフレッシュ、すべてリセット、および順次に同調のうちの１つまたは複数を備える、請求項１１に記載の方法。
【請求項１３】
複数のユニバーサルデジタルターミナルアダプタ（ＵＤＴＡ）を制御するためのユーザインタフェースであって、
制御に利用可能なＵＤＴＡのリストを表示するためのフィールドと、
前記フィールドのリストに列挙された前記ＵＤＴＡのためのコントロールと、
を備える、前記ユーザインタフェース。
【請求項１４】
前記フィールドのリストに列挙された前記ＵＤＴＡのための前記コントロールはユーザによって選択可能なボタンを備える、請求項１３に記載のユーザインタフェース。
【請求項１５】
前記制御に利用可能なＵＤＴＡの表示されたリストは、前記利用可能なＵＤＴＡの各々に関する追加情報をさらに備える、請求項１３に記載のユーザインタフェース。
【請求項１６】
前記ＵＤＴＡの各々に関する前記追加情報は、ユニット識別子、ＭＡＣアドレス、ユニットアドレス、および前記ＵＤＴＡが現在同調されているチャネルのうちの１つまたは複数を備える、請求項１５に記載のユーザインタフェース。
【請求項１７】
制御に利用可能なＵＤＴＡに関する追加情報を提供するためのテキストボックスをさらに備える、請求項１３に記載のユーザインタフェース。
【請求項１８】
前記追加情報は、ユーザプロンプト、診断情報、およびデバッグ情報のうちの１つまたは複数を備える、請求項１７に記載のユーザインタフェース。
【請求項１９】
前記提供されるテキストボックスはユーザからコマンドを受信するようにさらに構成される、請求項１７に記載のユーザインタフェース。
【請求項２０】
前記ＵＤＴＡのリスト内の前記ＵＤＴＡのうちの１つまたは複数のための前記コントロールは、オン、オフ、リセット、詳細、チャネルアップ、チャネルダウン、および直接チャネル入力のうちの１つまたは複数を備える、請求項１３に記載のユーザインタフェース。
【請求項２１】
前記ＵＤＴＡのリスト内の前記ＵＤＴＡのうちの１つまたは複数のための前記提供されるコントロールは、すべての前記利用可能なＵＤＴＡを制御するためのグローバルコマンドを備える、請求項１３に記載のユーザインタフェース。
【請求項２２】
前記グローバルコマンドは、端末をクリア、リストに追加、リストをリフレッシュ、すべてリセット、および順次に同調のうちの１つまたは複数を備える、請求項２１に記載のユーザインタフェース。
【請求項２３】
制御に利用可能なＵＤＴＡのリストを提供するステップと、
前記ＵＤＴＡのリスト内のＵＤＴＡのうちの１つまたは複数のためのコントロールを提供するステップと、
を実行するための命令を含む、コンピュータ読取可能媒体。
【請求項２４】
複数のユニバーサルデジタルターミナルアダプタ（ＵＤＴＡ）と、
前記複数のＵＤＴＡに接続されたコンピュータと、
前記複数のユニバーサルデジタルターミナルアダプタ（ＵＤＴＡ）を制御するためのユーザインタフェースと、
を備えたシステムであって、前記ユーザインタフェースは、
制御に利用可能なＵＤＴＡのリストを表示するためのフィールドと、
前記フィールドのリストに列挙された前記ＵＤＴＡのためのコントロールと、
を備える、前記システム。
【請求項２５】
前記複数のＵＤＴＡおよび前記コンピュータを接続するデジタルポートサーバをさらに備える、請求項２４に記載のシステム。
【発明の詳細な説明】
【技術分野】
【０００１】
本開示は、ユニバーサルデジタルターミナルアダプタ（ＵＤＴＡ：Universal Digital Terminal Adapter）の分野に関する。より詳細には、本開示は、ユニバーサルデジタルターミナルアダプタのグループを制御するためのグラフィカルユーザインタフェース（ＧＵＩ）に関する。
【背景技術】
【０００２】
ＵＤＴＡは、デジタルケーブルを同調、受信、または他の方法で復号するのに使用される。アナログ伝送からデジタル伝送に切り替えるケーブルプロバイダでは、ＵＤＴＡは、デジタル伝送のデジタルに符号化されたコンテンツを復号するのに必要である。
【発明の概要】
【発明が解決しようとする課題】
【０００３】
共通のアナログケーブル供給が複数の部屋またはアパート貸室に分散される、アパート、ホテル、モーテルなどのある種の集合住宅環境では、現在、同じ機能を提供する（すなわち、各部屋／アパート貸室にケーブルサービスを提供する）のに複数のＵＤＴＡが必要とされている。そのため、単一の共通のインターフェースから複数のＵＤＴＡを制御することができることは有利になろう。
【課題を解決するための手段】
【０００４】
本発明の実施形態は、複数のユニバーサルデジタルターミナルアダプタ（ＵＤＴＡ）を制御するための方法を含む。本方法は、制御のために利用可能なＵＤＴＡのリストを提供するステップと、ＵＤＴＡのリスト内の複数のＵＤＴＡのうちの１つまたは複数のＵＤＴＡのためのコントロールを提供するステップとを備える。ある特定の実施形態において、本方法は、上記複数のＵＤＴＡのうちの１つまたは複数のＵＤＴＡのコントロールを介してコマンドを受信するステップと、そのコマンドを実行するステップとをさらに備える。
【０００５】
本発明の他の実施形態はまた、複数のユニバーサルデジタルターミナルアダプタ（ＵＤＴＡ）を制御するためのユーザインタフェースを含む。そのユーザインタフェースは、制御のために利用可能なＵＤＴＡのリストを表示するためのフィールドと、そのフィールドのリストに記載されたＵＤＴＡに対するコントロールとを備える。
【０００６】
さらに他の実施形態は、複数のＵＤＴＡを制御するために実行するための命令を格納するコンピュータ読取可能媒体を含む。その命令は、制御のために利用可能なＵＤＴＡのリストを提供するステップと、そのＵＤＴＡのリスト内のＵＤＴＡのうちの１つまたは複数ＵＤＴＡのためのコントロールを提供するステップとを実行するものを含む。
【０００７】
さらに他の実施形態はシステムを含む。そのシステムは、複数のユニバーサルデジタルターミナルアダプタ（ＵＤＴＡ）、コンピュータ、およびユーザインタフェースを備える。そのコンピュータは、複数のＵＤＴＡに接続される。ユーザインタフェースは、上記コンピュータを介して複数のユニバーサルデジタルターミナルアダプタ（ＵＤＴＡ）を制御するためのものである。そのユーザインタフェースは、制御のために利用可能なＵＤＴＡのリストを表示するためのフィールド、およびそのフィールドのリストに記載されたＵＤＴＡのコントロールを備える。
【０００８】
本発明として見なされる主題は、本明細書の終わりにある本特許請求の範囲において具体的に指摘され、明らかに請求される。本発明の前述のおよび他の特徴および利点は、添付の図面と併せて以下の詳細な説明から明らかとなろう。
【図面の簡単な説明】
【０００９】
【図１】本発明の実施形態による複数のユニバーサルデジタルターミナルアダプタ（ＵＤＴＡ）を備えるシステムのブロック図である。
【図２】本発明の実施形態による、利用可能なＵＤＴＡのリストが追加される前の複数のＵＤＴＡを制御するためのユーザインタフェースの図である。
【図３】本発明の実施形態による、利用可能なＵＤＴＡのリストが追加された後の複数のＵＤＴＡを制御するためのユーザインタフェースの図である。
【図４】本発明の実施形態による、利用可能なＵＤＴＡのリストが追加された後の複数のＵＤＴＡを制御するためのユーザインタフェースの図である。
【図５】本発明の実施形態による、ＵＤＴＡに関する追加情報がポップアップウィンドウで提供された、複数のＵＤＴＡを制御するためのユーザインタフェースを示す図である。
【図６】本発明の実施形態による、複数のＵＤＴＡを制御するための方法を示す流れ図である。
【発明を実施するための形態】
【００１０】
本発明によって開示される実施形態は、本明細書の革新的な教示の多数の有利な使用法の例に過ぎないことに留意することが重要である。概して、本願の本明細書で行われる記述は、必ずしも、様々な特許請求される本発明のいずれかを限定するものではない。さらに、一部の記述は、一部の発明の特徴に当てはまるが、他には当てはまらないことがある。概して、別段の指示のない限り、単数の要素は、一般性の喪失なしに、複数でもよく、またその逆も可能である。図面において、同様の番号はいくつかの図面を通して同様の部分を指す。
【００１１】
図１に、ケーブル信号の制御および分配のためにグループ化された複数のＵＤＴＡを有するシステムの一例が示されている。システム１００は、複数のＵＤＴＡ１１０ａ、１１０ｂ、１１０ｃと、ＵＤＴＡ１１０ａ、１１０ｂ、１１０ｃを制御するためのユーザインタフェース２００が実行する少なくとも１つのコンピュータ１２０とを含む。ＵＤＴＡ１１０ａ、１１０ｂ、１１０ｃは、直接またはポートサーバ１３０を通してコンピュータ１２０に接続される。この例では、ＵＤＴＡ１１０ａ、１１０ｂ、１１０ｃは、ＲＳ−２３２接続１１５ａ、１１５ｂ、１１５ｃを介してポートサーバ１２０に接続され、ポートサーバ１３０はイーサネット（登録商標）接続を介してコンピュータ１２０に接続される。この例では、ＵＤＴＡ１１０ａ、１１０ｂ、１１０ｃに電力を提供するためにポートサーバに接続された遠隔制御の電源１４０も示されている。
【００１２】
これは、ＵＤＴＡ１１０ａ、１１０ｂ、１１０ｃが、１つまたは複数の接続されたコンピュータ１２０を通じて単一のアクセスポイントによって制御されることを可能にする。それにより、技術者または他のユーザは、１つまたは複数の接続されたコンピュータ１２０を通して直接に、または任意選択でインターネット１５５によって遠隔地にあるコンピュータ１５０を介してのいずれかにより、複数のＵＤＴＡ１１０ａ、１１０ｂ、１１０ｃにアクセスして制御することができる。
【００１３】
ＵＤＴＡ１１０ａ、１１０ｂ、１１０ｃは、スプリッタ１６５を介してデジタルケーブル信号１６０を受信する。デジタルケーブル信号１６０は、ＵＤＴＡ１１０ａ、１１０ｂ、１１０ｃによってベースバンド音声ビデオ信号１７０ａ、１７０ｂ、１７０ｃに復号される。ベースバンド音声およびビデオ信号１７０ａ、１７０ｂ、１７０ｃは次いで、（例えばドレークモジュール（Ｄｒａｋｅ  Ｍｏｄｕｌｅ）１７２ａ、１７２ｂ、１７２ｃによって）ＲＦ変調されたチャネル１７４ａ、１７４ｂ、１７４ｃに変換可能であり、結合器１８０によってアナログケーブル信号１８０に結合可能である（各部屋／アパート貸室にケーブルサービスを提供するために）。
【００１４】
複数のＵＤＴＡの制御を提供するために、ユーザインタフェースが提供される。そのようなユーザインタフェースの一例は図２に示されている。図２において、ユーザインタフェース２００は、グラフィカルユーザインタフェースである。本実施形態において、ユーザインタフェースは、制御に利用可能なＵＤＴＡのリストを表示するためのフィールド２１０、それらのＵＤＴＡのうちの１つまたは複数を制御するためのコントロール２２０、およびテキストボックス２３０を含む。
【００１５】
図２の例では、制御に利用可能なＵＤＴＡのリストが追加されていないフィールド２１０を有するユーザインタフェース２００が示されている。すなわち、これは、ユーザが何かをする前にＧＵＩ２００がどのように見えるかを示している。テキストボックス２３０は、ユーザに「リストに追加（Ｐｏｐｕｌａｔｅ  Ｌｉｓｔ）」を押すように促している。「リストに追加」ボタン２２２は、ＵＤＴＡのうちの１つまたは複数を制御するためのコントロール２２０の一部として提供される。
【００１６】
ユーザが「リストに追加」ボタン２２２を押すと、いくつかのことが起こる。ＧＵＩ２００を提供するアプリケーションは、（直接にまたはポートサーバ１３０を介してのいずれかで）コンピュータ１２０に付加されたすべてのＵＤＴＡ１１０ａ、１１０ｂ、１１０ｃを探す。これは、ＵＤＴＡの各々に「真にリモートの制御（Really-Remote Control）」モード（ＡＳＣＩＩ「４２４０５」）に入るように求める要求を送信することによって行われ、次いで、わずかに遅れて、これに応答するようにＵＤＴＡに求める（ＡＳＣＩＩ「ＰＬＥＡＳＥ：：ＴＨＡＮＫＹＯＵ！」）。あるＵＤＴＡが応答（「ＡＬＲＩＧＨＴ：：ＮＯＰＲＯＢＬＥＭ」）した場合、ＧＵＩアプリケーションは、そのＵＤＴＡをその利用可能なＵＤＴＡのリストに追加することになる。この一例は図３および４に示される。
【００１７】
ある実施形態において、ＧＵＩアプリケーションはまた、いくらかの追加情報（ＵＤＴＡの識別子、ＭＡＣアドレスおよびユニットアドレス、同調されるチャネル）を求めることになる。一部の実施形態において、ＧＵＩアプリケーションは、ＵＤＴＡの識別子３１２ａ〜ｄ、ＭＡＣアドレス３１４ａ〜ｄ、ユニットアドレス３１６ａ〜ｄ、およびＵＤＴＡが同調される現在の仮想チャネル３１８ａ〜ｄを含むこの追加情報３１０を、修正可能なフィールド２１０に追加することになる。ＧＵＩアプリケーションはまた、右下の第２のボタンを「リストに追加」ボタン２２２から「リストをリフレッシュ（Ｒｅｆｒｅｓｈ  Ｌｉｓｔ）」ボタン３２２に変えることもできる。
【００１８】
制御に利用可能なＵＤＴＡのＧＵＩアプリケーションのリストは、動的であり、ユーザが２０のＵＤＴＡを連結しようとした場合、ＧＵＩアプリケーションは、それを構成することになろう。ユーザが１０００のＵＤＴＡを連結した場合、ＧＵＩはやはりそれを構成することになろう。あらゆるＵＤＴＡはそれ自体のコントロールのセットを与えられる。図３および図４の例では、これらのコントロールは、ボタン３３０として提供される。
【００１９】
これらのコントロール３３０のいくつかの例は、「オン（ＯＮ）」ボタン３３２ａ〜ｄ、「オフ（ＯＦＦ）」ボタン３３４ａ、「リセット（Ｒｅｓｅｔ）」ボタン３３６ａ〜ｄ、「詳細（Ｍｏｒｅ  ｉｎｆｏ）」ボタン３３８ａ〜ｄ、「チャネルアップ（Ｃｈａｎｎｅｌ  Ｕｐ）」ボタン３４０ａ〜ｄ、「チャネルダウン（Ｃｈａｎｎｅｌ  Ｄｏｗｎ）」ボタン３４２ａ〜ｄ、「チャネルへ（Ｃｈａｎｎｅｌ  ｔｏ）」ボタン３４４ａ〜ｄ、および、所望のチャネルを入力するための修正可能なフィールド３４６ａ〜ｄを含む。これらのボタンの機能性は以下に説明される。
【００２０】
オン／オフ−「オン」３３２ａ〜ｄおよび「オフ」３３４ａボタンは、起動されると、その電力を制御することによって、ＵＤＴＡのオフとオンをハードウェアレベルで変える（図１の遠隔制御の電源１４０を参照）。「オン」ボタン３３２ａ〜ｄは緑色で、押されている。「オフ」ボタン３３４ａは赤色で、押されていない（図４を参照）。
【００２１】
リセット−「リセット」ボタン３３６ａ〜ｄは、起動されると、ソフトウェアリセットを行うことによって、ソフトウェアレベルでＵＤＴＡをオフにし、その後すぐにオンにする。
【００２２】
詳細−「詳細」ボタン３３８ａ〜ｄは、起動されると、個々のＵＤＴＡに関する重要な診断情報を提供する。この情報は、図５に示すようなポップアップ画面５００で提供され得る。この実施形態で、提供される情報は、ソフトウェアバージョン５１０、ＭＡＣアドレス５２０、ユニットアドレス５３０、現在の仮想チャネル５４０、現在のチャネル周波数５５０、電力レベル５６０、および信号対ノイズ比５７０などのＵＤＴＡ上のソフトウェアに限定される。他の実施形態では追加の情報を提供することができる。
【００２３】
チャネル（アップ／ダウン）−「チャネルアップ」３４０ａ〜ｄおよび「チャネルダウン」３４２ａ〜ｄボタンは、起動されると、ユーザが次のまたは前のチャネルに合わせることを可能にする。
【００２４】
チャネルへ−「チャネルへ」ボタン３４４ａ〜ｄは、起動されると、修正可能なフィールド３４６ａ〜ｄへの入力である仮想チャネルマップ内のそのチャネルに合わせようと試みる。
【００２５】
図３および４の例示的ＧＵＩ２００の下部にあるのは、重要な診断およびデバッグ情報を提供するテキストボックス２３０である。ここにあるテキストは、強調表示、コピー、またはファイルに保存することができる。他のオプションは、ユーザが、コマンドプロンプト（またはバッチファイル）と同様に、キーボード対話で任意の接続されたＵＤＴＡを完全に制御することができるようにする十分に機能する端末を含む。ＧＵＩアプリケーションがＵＤＴＡと通信しているとき、テキストボックスは最新の情報で更新している。
【００２６】
個々のＵＤＴＡを制御するために提供されるコントロール３３０に加えて、ＧＵＩ２００は、すべてのＵＤＴＡを制御するグローバルコマンド２２０を提供することもできる。そのようなコントロールの例は、「端末をクリア（Ｃｌｅａｒ  Ｔｅｒｍｉｎａｌ）」ボタン３２４、前述の「リストに追加」２２２および「リストをリフレッシュ」３２２ボタン、「すべてリセット（Ｒｅｓｅｔ  Ａｌｌ）」ボタン３２６、および「順次に同調（Ｔｕｎｅ  Ｓｅｑｕｅｎｔｉａｌｌｙ）」ボタン３２８を含む。これらのボタンの機能は以下に説明される。
【００２７】
端末をクリア−「端末をクリア」ボタン３２４は、起動されると、混乱を避けるために、テキストボックス２３０内のすべてのテキストを取り除く。
【００２８】
リストに追加／リストをリフレッシュ−「リストに追加」２２２、および「リストをリフレッシュ」３２２ボタンは、起動されると、ＵＤＴＡのすべてのシリアルポートにＰｉｎｇを行う（ユーザが、プログラム実行中の２０のＵＤＴＡを有し、次いでさらに２０を連結し、「リストをリフレッシュ」を押した場合、それらのＵＤＴＡは制御に利用可能なＵＤＴＡのリストに追加されることになる）。
【００２９】
すべてリセット−「すべてリセット」ボタン３２６は、起動されると、すべてのＵＤＴＡでソフトウェアリセットを行う。
【００３０】
順次に同調−「順次に同調」ボタン３２８は、起動されると、第１のＵＤＴＡの現在の仮想チャネルを取り、その後に第２のＵＤＴＡに次の仮想チャネルに同調させる。これは、第１のＵＤＴＡのチャネルに第２のＵＤＴＡを先ず同調させ、次いで論理的に調整することによって達成される。次いで、リスト内のあらゆるＵＤＴＡについてそのプロセスを繰り返す。第３のＵＤＴＡが第３の利用可能な仮想チャネルに同調され、第４のＵＤＴＡが第４の利用可能な仮想チャネルに同調されるなどというように行われる。その結果、利用可能なＵＤＴＡの各々は、（ドレークモジュール１７２ａ〜ｃによりベースバンド音声ビデオ信号１７０ａ〜ｃから無線周波数変調信号１７４ａ〜ｃに変換された後に結合器１８０を使用して）、集合住宅環境の様々な住居に分配可能なアナログケーブル信号１８５（図１を参照）に結合可能な異なる同調されたチャネルを出力することとなる。
【００３１】
複数のＵＤＴＡを制御する例示的方法６００を図６に示す。この実施形態において、本方法は、制御に利用可能なＵＤＴＡのリストに追加するためのプロンプトをユーザに提供するオプションのステップ（ステップ６１０）と、制御に利用可能なＵＤＴＡのリストに追加するためのユーザコマンドを受信するオプションのステップ（ステップ６２０）とを含む。その後、制御に利用可能なＵＤＴＡをリストにすることができ（ステップ６３０）、ＵＤＴＡのコントロールが提供される（ステップ６４０）。図６の実施形態は、コントロールを介して提供されるコマンドを受信するステップ（ステップ６５０）と、そのコマンドを遂行または実行するステップ（ステップ６６０）も含む。
【００３２】
利用可能なＵＤＴＡのリストに追加するためにユーザにプロンプトを提供するステップ（ステップ６１０）の一例は、図２にあり、テキストボックス２３０において、ユーザは「リストに追加」を押すように指示される。リストに追加するコマンドを受信するステップ（６２０）とそのコマンドの実行も、図２および図３に関連して上述されている。
【００３３】
制御に利用可能なＵＤＴＡのリストを提供するステップ（ステップ６３０）とＵＤＴＡのコントロールを提供するステップ（ステップ６４０）の一例は、図３および図４に示される。図３、図４、および図５に関連するコントロール２２０および３２０の説明は、コマンドを受信するステップ（ステップ６５０）と、そのコマンドを実行するステップ（ステップ６６０）の例を提供している。例えば、詳細ボタン３３８ａが起動されると、図５に示すポップアップ画面５００が提供される。
【００３４】
一実施形態に焦点が置かれたが、様々な修正形態が行われ得ることが理解されよう。例えば、異なる実装形態の要素を結合、補完、修正または除去して他の実装形態を形成することができる。加えて、他の構造およびプロセスが開示されるものに置換可能であり、結果として生じる実装形態は、少なくとも実質的に１つまたは複数の同じ機能を少なくとも実質的に１つまたは複数の同じやり方で実行して、開示される実施形態と同じ１つまたは複数の結果を少なくとも実質的に達成することになるであろうことが当業者には理解されよう。したがって、これらのおよび他の実装形態は、本開示によって意図され、本開示の範囲内にある。
【００３５】
最も好ましくは、本発明の原理は、ハードウェア、ファームウェア、ソフトウェア、またはそれらの任意の組合せで実装され得る。さらに、そのソフトウェアは好ましくは、プログラム記憶ユニットまたはコンピュータ読取可能媒体で有形に実施されるアプリケーションプログラムとして実装される。「機械読取可能媒体」はデータを記憶することができる媒体であり、デジタル回路、アナログ回路、またはそれらの組合せの形でもよいことが当業者には認識されよう。アプリケーションプログラムは、任意の適切なアーキテクチャを備える機械にアップロード可能でありおよびそれによって実行可能である。好ましくは、その機械は、１つまたは複数の中央処理装置（「ＣＰＵ」）、メモリ、および入力／出力インターフェースなどのハードウェアを有するコンピュータプラットフォームに実装される。そのコンピュータプラットフォームはまた、オペレーティングシステムおよびマイクロ命令コードも含み得る。本明細書に記載の様々なプロセスおよび機能は、そのようなコンピュータまたはプロセッサが明示的に示されていてもいなくても、ＣＰＵによって実行され得る、マイクロ命令コードの部分かアプリケーションプログラムの部分、またはそれらの任意の組合せでもよい。加えて、様々な他の周辺ユニットが、追加データ記憶ユニットおよび印刷ユニットなどのコンピュータプラットフォームに接続され得る。
【図１】
2013527950.tif 000003
【図２】
2013527950.tif 000004
【図３】
2013527950.tif 000005
【図４】
2013527950.tif 000006
【図５】
2013527950.tif 000007
【図６】
2013527950.tif 000008
【国際調査報告】
2013527950.tif 000009